(57)【要約】【課題】  単純な構成で鍵の連打性を向上させることができるアップライトピアノのアクションを提供する。【解決手段】  鍵４で突き上げられることによって上方に回動するウィッペン６と、ウィッペン６に設けられ、ハンマー突上げ部７ｂがハンマー３に係合する係合位置と、ハンマー３から外れた離脱位置とに回動するジャック７と、押鍵時にハンマー突上げ部７ｂが接近する側に設けられた支持部材１５と、ジャック７を係合位置側に付勢するためのばね１０と、押鍵時にジャック７をばね１０の付勢力に抗して離脱位置側に回動させることによって、ハンマー３から離脱させるためのレギュレティングボタン１３と、ハンマー突上げ部７ｂに設けられ、ジャック７がハンマー３から離脱したときに、支持部材１５に当接することによってジャック７を係合位置側に付勢するためのスプリング部７ｃと、を備えている。【選択図】  図２
2006091516.tif 000002
【特許請求の範囲】
【請求項１】
鍵の押鍵に伴って作動し、ハンマーを回動させることにより打弦を行わせるアップライトピアノのアクションであって、
前記鍵の押鍵時に、当該鍵で突き上げられることによって上方に回動するウィッペンと、
基部および上下方向に延びるハンマー突上げ部を有し、前記ウィッペンに回動自在に設けられ、前記ハンマーを突き上げるために前記ハンマー突上げ部が前記ハンマーに係合する係合位置と、前記ハンマー突上げ部が前記ハンマーから外れた離脱位置とに回動するジャックと、
押鍵時に前記ジャックが前記離脱位置側に回動したときに前記ハンマー突上げ部が接近する側に、当該ハンマー突上げ部に対向するように設けられた支持部材と、
前記ウィッペンと前記ジャックの前記基部との間に設けられ、当該ジャックを前記係合位置側に付勢するためのばねと、
押鍵時に、前記ジャックを、前記ばねの付勢力に抗して前記離脱位置側に回動させることによって、前記ハンマーから離脱させるレギュレティングボタンと、
前記ジャックおよび前記支持部材の一方に設けられ、押鍵時に、前記ジャックが前記ハンマーから離脱したときに、前記ハンマーおよび前記支持部材の他方に当接することによって、前記ジャックを前記係合位置側に付勢するスプリング部と、
を備えていることを特徴とするアップライトピアノのアクション。
【請求項２】
前記レギュレーティングボタンが取り付けられたレギュレティングレールをさらに備え、
前記支持部材は、当該レギュレティングレールにより構成されていることを特徴とする請求項１に記載のアップライトピアノのアクション。
【請求項３】
前記スプリング部は、前記ハンマー突上げ部と一体成形され、当該ハンマー突上げ部の上端部および下端部の一方から、前記ハンマー突上げ部との間に間隙を存した状態で延びていることを特徴とする請求項１または２に記載のアップライトピアノのアクション。
【請求項４】
前記ジャックは、前記ハンマー突上げ部と前記スプリング部の間に設けられ、前記スプリング部の形状を保持するためのスプリング部保形用ばねをさらに有していることを特徴とする請求項３に記載のアップライトピアノのアクション。
【請求項５】
前記スプリング部保形用ばねは、前記スプリング部の先端部と基端部付近との間に延びる板ばねで構成されていることを特徴とする請求項４に記載のアップライトピアノのアクション。
【請求項６】
前記ジャックは、炭素繊維を含有した合成樹脂で構成されていることを特徴とする請求項１ないし５のいずれかに記載のアップライトピアノのアクション。
【発明の詳細な説明】
【技術分野】
【０００１】
本発明は、鍵の押鍵に伴って作動し、ハンマーを回動させることにより打弦を行わせるアップライトピアノのアクションに関する。
【背景技術】
【０００２】
従来のアップライトピアノのアクションとして、例えば特許文献１に開示されたものが知られている。このアクションは、鍵の後端部の上方に設けられており、鍵の後端部に載置されたウィッペン、ウィッペンに回動自在に設けられたジャック、ウィッペンとジャックの間に設けられたジャックスプリング、およびレギュレティングボタンなどを備えている。ジャックは、基部と、基部からほぼ直角に上下方向に延びるハンマー突上げ部とからＬ字型に形成され、離鍵状態では、ハンマー突上げ部がハンマーのバットに係合するとともに、基部がレギュレティングボタンに下方から対向している。
【０００３】
このようなアップライトピアノの鍵を押鍵すると、ウィッペンが、鍵の後端部に突き上げられることにより、ジャックとともに上方に回動する。それにより、ハンマーがジャックによって突き上げられ、ハンマーは、鉛直に張られた後方の弦に向かって回動する。そして、ジャックが、レギュレティングボタンに当接することにより、ジャックスプリングの付勢力に抗してウィッペンに対して回動することによって、ハンマーから外れ、その後、ハンマーが弦を打弦する。一方、離鍵時においては、ウィッペンおよびジャックが押鍵時と逆方向に回動するのに伴い、ジャックは、ジャックスプリングの付勢力により、ウィッペンに対して元の位置に復帰し、ハンマーに係合するようになる。それにより、再度、押鍵されたときに、ハンマーの突き上げが可能な状態に戻る。
【０００４】
このようなアクションには、以下のような問題がある。すなわち、例えば、トリルを行うときのように同じ鍵を速く連打する場合に、ハンマーに打弦を行わせるためには、ジャックが、速やかに離鍵時の位置に復帰することが必要である。しかし、上述した従来のアクションでは、ジャックが、ウィッペンとの間に設けられたジャックスプリングのみによって離鍵位置に復帰するので、ジャックスプリングの付勢力が不足すると、復帰動作に遅れが生じる場合がある。このため、鍵の連打性に限界があり、ジャックが復帰時に鍵の動作に十分に追随できず、演奏者の意図に従った演奏ができないおそれがある。
【０００５】
このような不具合を解消するために、ジャックスプリングのばね力を増大させることが考えられる。しかし、基部の長さが短く、そのためジャックの回動支点からばねの付勢力の作用点までの距離が短いので、付勢力を大きくするには、ジャックスプリングのばね力を大きくする必要がある。このため、ばね力の製造時のばらつきや経年変化によるずれに応じて付勢力が変化しやすく、その調整に手間を要する。
【０００６】
また、ジャックスプリングのばね力は、押鍵時には、ウィッペンに反力として作用するので、このばね力を変化させると、押鍵時の静的荷重に影響を及ぼすことにより、所望のタッチ感を得られないおそれがある。
【０００７】
本発明は、以上のような課題を解決するためになされたものであり、単純な構成で鍵の連打性を向上させることができるアップライトピアノのアクションを提供することを目的としている。
【０００８】
【特許文献１】特開平６−８３３２６号公報  （第３〜５頁、第１，２図）
【発明の開示】
【課題を解決するための手段】
【０００９】
この目的を達成するために、本発明の請求項１に係る発明は、鍵の押鍵に伴って作動し、ハンマーを回動させることにより打弦を行わせるアップライトピアノのアクションであって、鍵の押鍵時に、鍵で突き上げられることによって上方に回動するウィッペンと、基部および上下方向に延びるハンマー突上げ部を有し、ウィッペンに回動自在に設けられ、ハンマーを突き上げるためにハンマー突上げ部がハンマーに係合する係合位置と、ハンマー突上げ部がハンマーから外れた離脱位置とに回動するジャックと、押鍵時にジャックが離脱位置側に回動したときにハンマー突上げ部が接近する側に、ハンマー突上げ部に対向するように設けられた支持部材と、ウィッペンとジャックの基部との間に設けられ、ジャックを係合位置側に付勢するためのばねと、押鍵時に、ジャックを、ばねの付勢力に抗して離脱位置側に回動させることによって、ハンマーから離脱させるレギュレティングボタンと、ジャックおよび支持部材の一方に設けられ、押鍵時に、ジャックがハンマーから離脱したときに、ハンマーおよび支持部材の他方に当接することによって、ジャックを係合位置側に付勢するスプリング部と、を備えていることを特徴とする。
【００１０】
このアップライトピアノのアクションによれば、離鍵状態では、ジャックが係合位置に位置しており、そのハンマー突上げ部がハンマーに係合している。この状態から鍵が押鍵されると、ウィッペンが鍵で突き上げられることによって、ウィッペン、およびウィッペンに設けられたジャックがともに上方に回動する。それにより、ハンマーは、ジャックによって突き上げられることにより回動する。ウィッペンおよびジャックの上方への回動中に、ジャックの基部がレギュレティングボタンに当接すると、ジャックは、離脱位置側に回動する。
【００１１】
ジャックが離脱位置側に回動する際には、ジャックは、ジャックとウィッペンの間に設けられたばねの付勢力に抗して離脱位置側に回動する。それにより、ジャックがハンマーから離脱し、ジャックによって突き上げられたハンマーは、打弦を行う。また、ジャックがハンマーから離脱したときには、ジャックのハンマー突上げ部および支持部材の一方に設けられたスプリング部が他方に当接することによって、スプリング部のばね力により、ジャックが係合位置側に付勢される。
【００１２】
一方、離鍵時には、ウィッペンおよびジャックがともに下方に回動する。その際、ジャックは、押鍵時に離脱位置側へ回動したことにより、スプリング部およびばねの付勢力によって係合位置側に回動し、係合位置に素早く復帰し、ハンマーの突き上げが可能な状態に戻る。
【００１３】
以上のように、押鍵時、ジャックがハンマーから離脱したときに、ジャックとウィッペンの間の既存のばねに加え、ジャックと支持部材の間のスプリング部によって、係合位置側へのより大きな付勢力がジャックに作用するので、ジャックは、より素早く係合位置に復帰することができる。したがって、例えばトリルを行う場合のように、同じ鍵が連続的に速く押鍵された場合であっても、ジャックの動作を鍵の動作に遅れることなく確実に追随させることができるので、鍵の連打性を向上させることができる。
【００１４】
また、ばねおよびスプリング部の双方により、ジャックに作用する付勢力を調整することができるので、ばねのみで調整する場合よりも、付勢力の大きさをきめ細かく調整することができるとともに、容易に付勢力を一定に保つことができる。
【００１５】
請求項２に係る発明は、請求項１に記載のアップライトピアノのアクションにおいて、レギュレティングボタンが取り付けられたレギュレティングレールをさらに備え、記支持部材は、レギュレティングレールにより構成されていることを特徴とする。
【００１６】
このアップライトピアノのアクションによれば、レギュレティングボタンを取り付けるためのレギュレティングレールが設けられており、このレギュレティングレールが、支持部材として用いられる。このようなレギュレティングレールは、レギュレティングボタンを取り付けるために通常、設けられる既存のものである。したがって、このレギュレティングレールを支持部材として利用することにより、支持部材を新たに設ける必要がないため、アクションを、製造コストを大きく増加させることなく、低コストで実現することができる。
【００１７】
請求項３に係る発明は、請求項１または２に記載のアップライトピアノのアクションにおいて、ジャックは、上下方向に延びるハンマー突上げ部を有し、スプリング部は、ハンマー突上げ部と一体成形され、ハンマー突上げ部の上端部および下端部の一方から、ハンマー突上げ部との間に間隙を存した状態で突出していることを特徴とする。
【００１８】
このアップライトピアノのアクションによれば、スプリング部は、ジャックの上下方向に延びるハンマー突上げ部と一体成形されることにより設けられており、ハンマー突上げ部の上端部または下端部からハンマー突上げ部との間に間隔を存するように突出している。押鍵時にジャックが離脱位置側に回動するときには、ジャックは、このスプリング部が支持部材に当接し、支持部材からの反力によって撓むことにより、ジャックに係合位置側への付勢力が与えられる。このように、単純な構成でジャックに作用する付勢力を増大させることができるとともに、スプリング部がジャックのハンマー突上げ部と一体成形されていることにより、部品点数および組立て工数を削減でき、その分、アクションを低コストで製造することができる。
【００１９】
請求項４に係る発明は、請求項３に記載のアップッライトピアノのアクションにおいて、ジャックは、ハンマー突上げ部とスプリング部の間に設けられ、スプリング部の形状を保持するためのスプリング部保形用ばねをさらに有していることを特徴とする。
【００２０】
このアップライトピアノのアクションによれば、スプリング部とハンマー突上げ部の間に設けられたスプリング部保形用ばねにより、スプリング部の形状が保持される。例えば、ジャックが合成樹脂などの高分子材料で構成されている場合、機械的な性質として粘弾性を有しているため、スプリング部に継続的に荷重が作用し、変形が繰り返されると、その変形が残留し、もとの形状に復元しなくなる結果、スプリング部の所要のばね力を維持できなくなるおそれがある。これを防止するためにスプリング部保形用ばねが設けられており、これにより、スプリング部の変形が残留するのを防止することができるので、ジャックを係合位置側へ付勢するスプリング部による付勢力の大きさを維持することができる。したがって、鍵の連打性を良好に維持することができる。
【００２１】
また、スプリング部の変形が残留し、そのばね力が変化したとしても、スプリング部保形用ばねが設けられ、そのばね力が付加されるので、ジャックに作用する付勢力全体の所要の大きさを維持することができる。
【００２２】
請求項５に係る発明は、請求項４に記載のアップライトピアノのアクションにおいて、スプリング部保形用ばねは、スプリング部の先端部と基端部付近との間に延びる板ばねで構成されていることを特徴とする。
【００２３】
このアップライトピアノのアクションによれば、スプリング部の形状は、スプリング部とハンマー突上げ部の間において、スプリング部の先端部と基端部付近の間に延びるように設けられた板ばねによって保持される。このように、単に板ばねを設けるだけの単純な構成で、スプリング部の形状、ひいては鍵の連打性を維持することができる。また、板ばねは、ハンマー突上げ部とスプリング部の間の間隙を利用して設けられるので、アクションを、全体としてコンパクトに構成することができる。
【００２４】
請求項６に係る発明は、請求項１ないし５のいずれかに記載のアップライトピアノのアクションにおいて、ジャックは、炭素繊維を含有した合成樹脂で構成されていることを特徴とする。
【００２５】
このアップライトピアノのアクションによれば、炭素繊維を含有した合成樹脂により、ジャックが構成されている。それにより、ジャックの剛性の向上および軽量化を図ることができる。その結果、ジャックの動作を軽快にすることができ、鍵の連打性をより向上させることができる。
【発明を実施するための最良の形態】
【００２６】
以下、本発明の好ましい実施形態を、図面を参照しながら詳細に説明する。図１は、本発明の第１実施形態によるアップライトピアノのアクション１、鍵盤２およびハンマー３などを、離鍵状態において示している。鍵盤２は、左右方向（図１の奥行方向）に並んだ多数の鍵４（１つのみ図示）によって構成されており、各鍵４は、前後方向（図１の左右方向）のほぼ中央において、筬５に揺動自在に支持されている。
【００２７】
アクション１は、鍵盤２の後端部の上方において、筬５の左右端部にそれぞれ設けたブラケット（図示せず）に取り付けられ、両ブラケットの間に延びるように設けられている。アクション１は、ウィッペン６やジャック７などを有していて、これらは、鍵４ごとに設けられている（ともに１つのみ図示）。左右のブラケットの間には、センターレール１６およびハンマーレール１７などが渡されており、このセンターレール１６に鍵４ごとにねじ止めされたウィッペンフレンジ１２およびバットフレンジ２４に、ウィッペン６の後端部およびハンマー３の下端部が、それぞれ回動自在に取り付けられている。
【００２８】
ウィッペン６は、例えば炭素繊維を含有した合成樹脂によって所定の形状に形成されており、その前部から下方に延びるヒール部６ａを有していて、対応する鍵４の上面後端部に設けられたキャプスタンボタン４ａに、ヒール部６ａを介して載置されている。また、ウィッペン６の上面前端部には、バックチェックワイヤ９ａが立設されていて、その先端部にバックチェック９が取り付けられている。また、ウィッペン６の上面後端部には、後述するダンパー２５を駆動するためのスプーン１１が立設されている。また、このスプーン１１のすぐ前方には、前述したウィッペンフレンジ１２が配置されており、このウィッペンフレンジ１２の上部が、センターレール１６に固定されている。
【００２９】
ジャック７は、例えば炭素繊維を含有した合成樹脂によってＬ字形に形成されており、図２に示すように、前後方向に延びる基部７ａと、基部７ａの後端部から上方に延びるハンマー突上げ部７ｂを有している。ハンマー突上げ部７ｂの長さは、基部７ａよりも大きくなっており、その上端部からは、スプリング部７ｃが突出している。スプリング部７ｃは、ハンマー突上げ部７ｂとの間に間隙を存し、この間隙が下方に向かって広がるように、ハンマー突上げ部７ｂに対して若干、斜めに延びており、その先端部は、基部７ａの上方に位置している。スプリング部７ｃは、このような構成により、弾性を有している。
【００３０】
以上のようなジャック７は、例えば射出成形によって一体成形されており、その基部７ａとハンマ突上げ部７ｂとの角部において、ウィッペン６のバックチェックワイヤ９ａよりも後方の位置に回動自在に取り付けられている。また、基部７ａとウィッペン６の間には、ジャックスプリング１０（ばね）が取り付けられている。このジャックスプリング１０は、コイルばねで構成され、押鍵時に、後述するようにジャック７を付勢するためのものであり、所定のばね力を有している。
【００３１】
ジャック７の基部７ａの上方には、レギュレティングボタン１３が設けられている。このレギュレティングボタン１３は、センターレール１６に設けられた複数のレギュレティングブラケット１４（１つのみ図示）と、その前端部に取り付けられ、左右方向に延びるレギュレティングレール１５（支持部材）を介して、鍵４ごとに設けられている。このレギュレ−ティングレール１５の後面には、緩衝材として、例えばフェルト１５ａが貼り付けられている。
【００３２】
ハンマー３は、バット２０、ハンマーシャンク２１、およびハンマーヘッド２２などを有している。バット２０は、その下端部において、前述したバットフレンジ２４に回動自在に取り付けられており、このバットフレンジ２４の下端部がセンターレール１６に固定されている。それにより、ハンマー３が回動自在になっている。ハンマーシャンク２１は、バット２０の上面に立設されており、その上端部にハンマーヘッド２２が取り付けられていて、図１に示す離鍵状態では、ハンマーシャンク２１がハンマーレール１７に後方から当接し、ハンマーヘッド２２が鉛直に張られた後方の弦Ｓに対向している。また、バット２０の前面には、キャッチャー２３が取り付けられており、キャッチャー２３は、前述したバックチェック９の後方に位置し、これと対向している。また、バット２０には、バットスプリング（図示せず）が設けられており、これにより、ハンマー３が図１の時計方向に付勢されている。また、この離鍵状態では、前述したジャック７のハンマー突上げ部７ｂがバット２０に下方から係合している。ジャック７のこのような位置が係合位置である。
【００３３】
また、アクション１の後方には、ダンパー２５が鍵４ごとに設けられている（１つのみ図示）。ダンパー２５は、ダンパーフレンジ２５ｂを介してセンターレール１６に回動自在に取り付けられたダンパーレバー２５ｃと、ダンパーレバー２５ｃの上側にダンパーワイヤ２５ｄを介して取り付けられたダンパーヘッド２５ａと、ダンパー２５を弦Ｓ側に付勢するダンパーレバースプリング２５ｅなどで構成されている。このダンパー２５は、離鍵時に、ダンパーレバースプリング２５ｅの付勢力によって、ダンパヘッド２５ａが弦Ｓに当接することにより止音するためのものである。また、ダンパー２５は、ダンパーペダル（図示せず）に連結されており、演奏時にダンパーペダルが踏み込まれると、ダンパーヘッド２５ａが弦Ｓから離れた状態に保持されることによって、演奏音にダンパーペダル効果が付与される。
【００３４】
以下、上述したアクション１およびハンマー３などの押鍵の開始から終了までの一連の動作について説明する。演奏者により離鍵状態の鍵４が押鍵されると、鍵４は、図１の時計方向に回動し、その後端部に載置されたウィッペン６は、鍵４によって突き上げられることにより、上方（反時計方向）に回動する。このウィッペン６の回動に伴い、ウィッペン６に設けられたジャック７などがともに回動し、ハンマー３は、ジャック７のハンマー突上げ部７ｂによって突き上げられることにより、後方の弦Ｓに向かって反時計方向に回動する。
【００３５】
ウィッペン６が所定の角度、回動したときに、ジャック７の基部７ａの前端部が、レギュレティングボタン１３に下方から当接する。ウィッペン６がさらに回動するのに従い、ジャック７は、レギュレティングボタン１３によって上方への回動が規制されることにより、ウィッペン６に対して時計方向に回動する。この回動に伴い、スプリング部７ｃの先端部が、前方のレギュレティングレール１５に接近するとともに、ジャック７とウィッペン６の間のジャックスプリング１０が圧縮される。すなわち、レギュレティングボタン１３は、ジャック７を、ジャックスプリング１０による係合位置側への付勢力に抗して回動させる。
【００３６】
さらに押鍵が進み、ジャック７がレギュレティングボタン１３に当接した状態でさらに時計方向に回動することにより、ハンマー突上げ部７ｂがバット２０から前方に外れ、ハンマー３から離脱する。これにより、鍵４のタッチ重さからハンマー３の重量分が急激に失われることにより、演奏者にレットオフ感が付与される。ハンマー３は、ジャック７によって突き上げられ、慣性によって回動し、弦Ｓを打弦することによりこれを振動させることによって、演奏音を発生させる。そして、バットスプリングの付勢力によって、時計方向に復帰回動し、キャッチャー２３がバックチェック９に係止され、その動作が一旦、停止する。
【００３７】
一方、ジャック７は、ハンマー３から外れたときに、そのスプリング部７ｃの先端部が、レギュレティングレール１５に当接し、これを押圧する。このときのジャック７の位置が離脱位置であり、その際、スプリング部７ｃは、レギュレティングレール１５によって支持され、図３に示すように、レギュレティングレール１５からの反力により、弾性を有するスプリング部７ｃ自体が撓むことによって、ジャック７が係合位置側に付勢される。このように、ジャック７は、ハンマー３から外れて離脱した直後には、ジャックスプリング１０およびスプリング部７ｃの両者を併せた付勢力によって、係合位置側に強く付勢された状態になり、その結果、押鍵の終了を待たずに係合位置側に速やかに復帰回動を開始する。
【００３８】
押鍵が終了し、鍵４が離鍵されると、鍵４およびウィッペン６は、押鍵時とは逆方向にそれぞれ回動する。ジャック７は、鍵４およびウィッペン６が離鍵状態に復帰するよりも早く係合位置に復帰し、このときの離脱位置から係合位置に復帰するまでの時間は、前述したジャックスプリング１０およびスプリング部７ｃのばね力が大きいほど短くなる。一方、ウィッペン６の復帰回動によりバックチェック９がキャッチャー２３から離れることにより、ハンマーシャンク２１がハンマーレール１７に当接するとともに、バット２０がジャック７のハンマー突上げ部７ｂに係合し、ハンマー３が離鍵状態に復帰する。このように、ウィッペン６および鍵４が元の離鍵状態に復帰することによって、押鍵時および離鍵時の一連の動作が終了する。
【００３９】
また、例えば、トリルを行う場合のように、同じ鍵４を連打する場合には、鍵４は、離鍵された後、離鍵状態に完全に復帰する前に再度、押鍵される。前述したように、ジャック７は、ジャックスプリング１０の付勢力に加えて、スプリング部７ｃの付勢力により、押鍵の終了を待たずに係合位置側に速やかに復帰回動することができるので、ジャック７は、鍵４の動作に遅れることなく追随し、再度の押鍵のときには、すでに係合位置、すなわちハンマー３の突上げ可能な位置に復帰している。したがって、ジャック７は、鍵４の連打に良好に応答してハンマー３を突上げ、ハンマー３による打弦を連続的に行わせる。
【００４０】
以上のように、トリルを行う場合のように、同じ鍵４が連続的に速く押鍵された場合であっても、ジャック７の動作を鍵４の動作に遅れることなく確実に追随させることができ、それにより鍵４の連打性を向上させることができる。
【００４１】
また、ジャックスプリング１０およびスプリング部７ｃの双方により、ジャック７に作用する付勢力を付与すること、およびスプリング部７ｃが合成樹脂の成形品で構成されていることにより、その付勢力のばらつきが小さいことから、付勢力全体としてのばらつきや経年変化を抑制でき、したがって、従来のジャックスプリング１０のみで行う場合よりも、付勢力の調整を容易に行うことができる。また、スプリング部７ｃによる付勢力は、ジャック７がハンマー３から離脱した直後に付与されるので、レットオフ荷重を増大させないなど、鍵４の静的荷重にほとんど影響を及ぼさない。したがって、鍵４のタッチ感を変化させることなく、連打性を向上させることができる。
【００４２】
また、レギュレティングレール１５は、レギュレティングボタン１３を取り付けるために通常、設けられる既存のものであり、このレギュレティングレール１５を、ジャック７が離脱位置側に回動する際のスプリング部７ｃの支持部材として利用している。さらに、ジャック７に作用する付勢力を増大させるためのスプリング部７ｃが、ジャック７と一体成形されている。以上のように、スプリング部７ｃおよびこれを支持する支持部材を別個に設ける必要がないので、アクション１を、製造コストを大きく増加させることなく低コストで実現することができる。また、部品点数および組立て工数は、従来と同じであるため、その分、アクション１を低コストで製造することができる。
【００４３】
さらに、ジャック７が、炭素繊維を含有した合成樹脂により構成されていることにより、高剛性化および軽量化している。したがって、ジャック７は、軽快に動作するので、離鍵時により短時間で係合位置に復帰でき、その結果、鍵４の連打性をより向上させることができる。
【００４４】
次に、上述したアクション１の第１の変形例について説明する。この変形例は、基本的に第１実施形態のアクション１と同様の構成を有しており、ジャック３０の構成のみが異なるので、以下、共通する構成要素については同じ符号を用い、第１実施形態のジャック７との相違点を中心として説明する。
【００４５】
図４に示すように、この変形例のジャック３０は、例えば炭素繊維を含有した合成樹脂によって構成され、第１実施形態のジャック７と同様に、Ｌ字形に一体成形された基部３０ａ、ハンマー突上げ部３０ｂ、およびスプリング部３０ｃを有している。また、ハンマー突上げ部３０ｂとスプリング部３０ｃの間の間隙には、例えば金属製の板ばね３１（スプリング部保形用ばね）が取り付けられていて、この板ばね３１は、スプリング部３０ｃの先端部と基端部付近の間に延びている。
【００４６】
スプリング部３０ｃには、板ばね３１を取り付けるための上下２つの取付け溝３２ａ，３２ｂが形成されている。これらの取付け溝３２ａ，３２ｂは、スプリング部３０ｃの先端部のハンマー突上げ部３０ｂ側と、基端部のハンマー突上げ部３０ｂとの接続部付近とにおいて、それぞれ左右方向にわたって設けられており、これらの取付け溝３２ａ，３２ｂに、板ばね３１の下端部および上端部がそれぞれはめ込まれている。他の構成は、上述した第１実施形態のアクション１と同様である。
【００４７】
以上の構成によれば、押鍵時に、ジャック３０が、レギュレティングボタン１３によって離脱位置側に回動させられ、レギュレーティングレール１５に当接したときに、第１実施形態と同様に、ジャックスプリング１０、およびスプリング部３０ｃによる付勢力がジャック３０に作用する。その際、スプリング部３０ｃが撓むのに伴い、板ばね３１がスプリング部３０ｃとともに撓むことによって、ジャック７に作用する付勢力が付加され、強化される。また、ジャック３０の離脱位置側への回動の際、スプリング部３０ｃが撓んだときには、スプリング部３０ｃには、レギュレティングレール１５からの反力と、板ばね３１からの前方への付勢力が作用する。上述したように、ジャック３０は合成樹脂により構成されており、基本的には、その機械的な性質として粘弾性を有していて、撓み変形が繰り返されることにより、その変形が残留するおそれがある。しかし、スプリング部３０ｃに撓み変形が生じたときには、この変形を打ち消し、元の形状に復元するように板ばね３１からの付勢力が作用するため、スプリング部３０ｃの変形が繰り返されても、離鍵状態のときには元の形状が維持される。
【００４８】
以上のように、スプリング部３０ｃとハンマー突上げ部３０ｂの間に板ばね３１を設けるだけの単純な構成で、スプリング部３０ｃの形状が維持されるので、スプリング部３０ｃの変形が残留するのを防止することができる。それにより、スプリング部３０ｃのばね力の経時的な低下を防止することができ、ジャック３０を係合位置側へ付勢するスプリング部３０ｃの付勢力の大きさを維持することができる。その結果、鍵４の連打性を低下させることなく良好に維持することができる。また、板ばね３１は、ハンマー突上げ部３０ｂとスプリング部３０ｃの間の間隙を利用して設けられるので、アクション１を、全体としてコンパクトに構成することができる。
【００４９】
また、スプリング部３０ｃの変形が残留し、そのばね力が変化したとしても、板ばね３１が設けられている分、ジャック３０に作用する付勢力が強化されているので、付勢力全体の所要の大きさを維持することができる。
【００５０】
次に、上述したアクション１の第２の変形例について説明する。この変形例のアクションは、基本的に第１実施形態のアクション１と同様の構成を有しており、ジャック４０と他の一部の構成のみが異なるので、以下、共通する構成要素については同じ符号を用い、第１実施形態との相違点を中心として説明する。
【００５１】
図５に示すように、この変形例のアクションは、後述するように、ジャック４０の離脱位置を規定するストップレール４１（支持部材）を有するタイプのものである。このアクションのジャック４０は、第１実施形態のジャック７と同様に、例えば炭素繊維を含有する合成樹脂によって構成され、Ｌ字形に一体成形された基部４０ａ、ハンマー突上げ部４０ｂ、およびスプリング部４０ｃを有している。このスプリング部４０ｃは、ハンマー突上げ部４０ｂの上端部から突出し、ハンマー突上げ部４０ｂとの間に間隙を存した状態で、その中央まで下方に延びている。
【００５２】
また、ストップレール４１は、スプリング部４０ｃの前方に、これと対向するように所定の間隔を隔てて設けられている。このストップレール４１は、左右のブラケットの間に渡されており、その後面には、例えば緩衝材としてフェルト４１ａが貼り付けられている。他の構成は、上述した第１実施形態のアクション１と同様である。
【００５３】
以上の構成によれば、押鍵時にレギュレティングボタン１３によってジャック４０が離脱位置側に回動させられる際、ジャック４０は、ジャックスプリング１０によって、係合位置側に付勢される。また、ジャック４０が離脱位置に達したときに、そのスプリング部４０ｃがストップレール４１に当接し、これを押圧する。それにより、スプリング部４０ｃは、ストップレール４１によって支持され、ストップレール４１からの反力により、弾性を有するスプリング部４０ｃ自体が撓むことによって、ジャック４０が係合位置側に付勢される。このように、ジャック４０は、ハンマー３から外れて離脱位置に達したときには、ジャックスプリング１０およびスプリング部４０ｃの両者によって、係合位置側に強く付勢された状態になる。それにより、押鍵の終了を待たずに係合位置側に速やかに復帰回動を開始し、これ以降は、第１実施形態のジャック７と同じ動作を行う。
【００５４】
以上のように、ストップレール４１を有するタイプのアクションであっても、これをジャック４０の支持部材として利用することにより、アクションを低コストで実現することができる。
【００５５】
なお、本発明は、説明した各実施形態および変形例に限定されることなく、種々の態様で実施することができる。例えば、各実施形態および変形例では、ジャックのハンマー突上げ部にスプリング部を設けているが、これに限定されることなく、例えば、スプリング部としてのコイルばねや板ばねなどを、レギュレティングレール１５またはストップレール４１に設けてもよい。また、各実施形態および変形例では、ジャックのスプリング部は、ハンマー突上げ部の上端部から下方に延びるものとして説明したが、これに限定されることなく、例えば下端部から上方に延びるように設けてもよい。また、各実施形態および変形例では、スプリング部を含むジャックは、一体成形されたものとして説明したが、これに限定されることなく、例えば、金属製のスプリング部をインサート成形してもよい。
【００５６】
また、第１変形例では、板ばね３１を設けることにより、スプリング部３０ｃの粘弾性による変形の残留を防止しているが、これに限定されることなく、例えばコイルばねなどの他の形状のばねを用いることも可能である。さらに、第２変形例のジャック４０に、スプリング部４０ｃの形状を保持するためのばねを適用することも可能である。また、実施形態で示したウィッペンやジャックなどの各構成部品の材質などは、あくまで例示であり、他の適当な材質を採用することが可能である。その他、細部の構成を、本発明の趣旨の範囲内で適宜、変更することが可能である。
【図面の簡単な説明】
【００５７】
【図１】本発明の第１実施形態によるアクションなどを、離鍵状態において示す側面図である。
【図２】図１のアクションのジャックおよびその付近を、離鍵状態において示す部分拡大図である。
【図３】図１のアクションのジャックおよびその付近を、押鍵時において示す部分拡大図である。
【図４】図１のアクションの第１変形例のジャックおよびその付近を、離鍵状態において示す側面図である。
【図５】図１のアクションの第２変形例のジャックおよびその付近を、離鍵状態において示す側面図である。
【符号の説明】
【００５８】
１    アクション
２    鍵盤
３    ハンマー
４    鍵
６    ウィッペン
７    ジャック
７ａ  基部
７ｂ  ハンマー突上げ部
７ｃ  スプリング部
１０    ジャックスプリング（ばね）
１３    レギュレティングボタン
１５    レギュレティグレール（支持部材）
３０    ジャック
３０ａ  基部
３０ｂ  ハンマー突上げ部
３０ｃ  スプリング部
３１    板ばね（スプリング部保形用ばね）  
４０    ジャック
４０ａ  基部
４０ｂ  ハンマー突上げ部
４０ｃ  スプリング部
４１    ストップレール（支持部材）
【図１】
2006091516.tif 000003
【図２】
2006091516.tif 000004
【図３】
2006091516.tif 000005
【図４】
2006091516.tif 000006
【図５】
2006091516.tif 000007